(57)【要約】【課題】電気垂直ケーブルラックの施工において、コンクリート貫通枠の両端に山形鋼をはめ込みラックを支持することによって、耐荷重と地震時の水平力に対応できるものとし、さらに省施工と省コストを提供する。【解決手段】貫通枠（１）に山形鋼（２）をはみ出すように溶接付けし、なおかつその山形鋼自体に支持用ボルト穴をあけてケーブルラック本体（６）を支持できるようにしたことを特徴とする。【選択図】  図１
0003101079.tif 000002
【実用新案登録請求の範囲】
【請求項１】
電気ケーブルラック用コンクリート貫通枠（１）に支持用アングル（２）を設け、さらに並列連結および水平方向支持インサート用穴（３）をあけた耐荷重支持貫通枠。
【考案の詳細な説明】
【０００１】
【考案の属する技術分野】
この考案は、電気垂直ケーブルラック貫通枠に支持用鋼材をつけた建築部材に関するものである。
【０００２】
【従来の技術】
従来、貫通枠とラック支持部材は別々に製品としてあった。
【０００３】
【考案が解決しようとする課題】
従来の物には次のような欠点があった。
支持部材は貫通枠をまたぐコの字を伏せた形状にならざるを得ない。
その為、狭い電気用シャフトで無駄なスペースが生まれてしまう。
又、アンカボルト等で固定しているため垂直方向の荷重には強いが、地震等の水平方向の力には弱い点がある。
本考案はこれらの欠点を除き、なおかつ施工手間を短縮させるためになされたものである。
【０００４】
【課題を解決するための手段】
貫通枠本体（１）の側面に切り込みを入れ、山形鋼部材（２）を差込み溶接付けする。山形鋼部材にはケーブルラック支持用のボルト穴、及び並列連結用ボルト穴（３）を開けておく。
この山形鋼部材の貫通枠よりはみでた部分（４）がコンクリート床に直に埋まる構造とする。
【０００５】
【考案の実施の形態】
以下、本案の実施の形態について説明する。
イ）建物床コンクリート打設前に、電気垂直ケーブルラック位置を出し、床型枠等に固定する。
ロ）並列の場合はボルトを通し枠同士を固定し、単体の場合は連結用ボルト穴にインサートスタッドを取付けておく。（５）
ハ）コンクリート打設後ケーブルラックを通し、支持材にて固定する。
【０００６】
【考案の効果】
本案は以上のような構造で、ケーブルラック支持山形鋼が直にコンクリートに埋設になるため、垂直方向だけでなく水平方向に対しても固定力が増す。また貫通と支持が一体構造となったため、省施工・省コストにつながる。
【図面の簡単な説明】
【図１】本考案の斜透視図である。
【図２】本考案の側面図である。
【図３】本考案の実施例の側面部分拡大及び荷重関係図である。
【図４】従来の貫通枠・支持材個別の斜視図である。
【符号の説明】
１  貫通枠本体    ２  山形鋼部材    ３連結ボルト穴
４  コンクリート直埋設部分    ５  インサートスタッド
６  ケーブルラック本体    ７  既製支持部材    ８  床コンクリート
【図１】
0003101079.tif 000003
【図２】
0003101079.tif 000004
【図３】
0003101079.tif 000005
【図４】
0003101079.tif 000006
【手続補正書】
【提出日】平成15年7月2日(2003.7.2)
【手続補正１】
【補正対象書類名】明細書
【補正対象項目名】全文
【補正方法】変更
【補正の内容】
【実用新案登録請求の範囲】
【請求項１】電気ケーブルラック用コンクリート貫通枠（１）に支持用アングル（２）を設け、さらに並列連結および水平方向支持インサート用穴（３）をあけた耐荷重支持貫通枠。
【考案の詳細な説明】
【０００１】
【考案の属する技術分野】
この考案は、電気垂直ケーブルラック貫通枠に支持用鋼材をつけた建築部材に関するものである。
【０００２】
【従来の技術】
従来、貫通枠とラック支持部材は別々に製品としてあった。
【０００３】
【考案が解決しようとする課題】
従来の物には次のような欠点があった。
支持部材は貫通枠をまたぐコの字を伏せた形状にならざるを得ない。
その為、狭い電気用シャフトで無駄なスペースが生まれてしまう。
又、アンカボルト等で固定しているため垂直方向の荷重には強いが、地震等の水平方向の力には弱い点がある。
本考案はこれらの欠点を除き、なおかつ施工手間を短縮させるためになされたものである。
【０００４】
【課題を解決するための手段】
貫通枠本体（１）の側面に切り込みを入れ、山形鋼部材（２）を差込み溶接付けする。山形鋼部材にはケーブルラック支持用のボルト穴、及び並列連結用ボルト穴（３）を開けておく。
この山形鋼部材の貫通枠よりはみでた部分（４）が床コンクリート（８）に直に埋まる構造とする。
【０００５】
【考案の実施の形態】
以下、本案の実施の形態について説明する。
イ）建物床コンクリート打設前に、電気垂直ケーブルラック位置を出し、床型枠等に固定する。
ロ）並列の場合はボルトを通し枠同士を固定し、単体の場合はインサート用穴（３）にインサートスタッドをボルトにより取付けておく。（５）
ハ）コンクリート打設後ケーブルラックを通し、支持材にて固定する。
【０００６】
【考案の効果】
本案は以上のような構造で、ケーブルラック支持山形鋼が直にコンクリートに埋設になるため、垂直方向だけでなく水平方向に対しても固定力が増す。また貫通と支持が一体構造となったため、省施工・省コストにつながる。
【図面の簡単な説明】
【図１】本考案の斜透視図である。
【図２】本考案の側面図である。
【図３】本考案の実施例の側面部分拡大及び荷重関係図である。
【図４】従来の貫通枠・支持材個別の斜視図である。
【符号の説明】
（１）  コンクリート貫通枠本体    （２）  山形鋼部材    （３）インサート用穴
（４）  コンクリート直埋設部分    （５）  インサートスタッド
（６）  ケーブルラック本体    （７）  既製支持部材
（８）  床コンクリート


【手続補正２】
【補正対象書類名】図面
【補正対象項目名】全図
【補正方法】変更
【補正の内容】
【図１】
0003101079.tif 000007
【図２】
0003101079.tif 000008
【図３】
0003101079.tif 000009
【図４】
0003101079.tif 000010
【手続補正書】
【提出日】平成15年11月4日(2003.11.4)
【手続補正１】
【補正対象書類名】明細書
【補正対象項目名】全文
【補正方法】変更
【補正の内容】
【考案の詳細な説明】
【実用新案登録請求の範囲】
【請求項１】電気ケーブルラック用コンクリート貫通枠（１）に支持用アングル（２）を設け、さらに並列連結および水平方向支持インサート用穴（３）を支持用アングルにあけた耐荷重支持貫通枠。
【考案の詳細な説明】
【０００１】
【技術分野】
この考案は、電気垂直ケーブルラック貫通枠に支持用鋼材をつけた建築部材に関するものである。
【０００２】
【背景技術】
従来、貫通枠とラック支持部材は別々に製品としてあった。
【０００３】
【考案が解決しようとする課題】
従来の物には次のような欠点があった。
支持部材は貫通枠をまたぐコの字を伏せた形状にならざるを得ない。
その為、狭い電気用シャフトで無駄なスペースが生まれてしまう。
又、アンカボルト等で固定しているため垂直方向の荷重には強いが、地震等の水平方向の力には弱い点がある。
本考案はこれらの欠点を除き、なおかつ施工手間を短縮させるためになされたものである。
【０００４】
【課題を解決するための手段】
貫通枠本体（１）の側面に切り込みを入れ、山形鋼部材（２）を差込み溶接付けする。山形鋼部材にはケーブルラック支持用のボルト穴、及び並列連結用ボルト穴（３）を開けておく。
この山形鋼部材の貫通枠よりはみでた部分（４）が床コンクリート（８）に直に埋まる構造とする。
【０００５】
【考案を実施するための最良の形態】
以下、本案の実施の形態について説明する。
イ）建物床コンクリート打設前に、電気垂直ケーブルラック位置を出し、床型枠等に固定する。
ロ）並列の場合はボルトを通し枠同士を固定し、単体の場合はインサート用穴（３）にインサートスタッドをボルトにより取付けておく。（５）
ハ）コンクリート打設後ケーブルラックを通し、支持材にて固定する。
【０００６】
【考案の効果】
本案は以上のような構造で、ケーブルラック支持山形鋼が直にコンクリートに埋設になるため、垂直方向だけでなく水平方向に対しても固定力が増す。また貫通と支持が一体構造となったため、省施工・省コストにつながる。
【図面の簡単な説明】
【図１】本考案の斜透視図である。
【図２】本考案の側面図である。
【図３】本考案の実施例の側面部分拡大及び荷重関係図である。
【図４】従来の貫通枠・支持材個別の斜視図である。
【符号の説明】
（１）  コンクリート貫通枠本体    （２）  支持用鋼材    （３）  インサート用穴
（４）  コンクリート直埋設部分    （５）  インサートスタッド
（６）  ケーブルラック本体    （７）  既製支持部材
（８）  床コンクリート


【手続補正２】
【補正対象書類名】図面
【補正対象項目名】全図
【補正方法】変更
【補正の内容】
【図１】
0003101079.tif 000011
【図２】
0003101079.tif 000012
【図３】
0003101079.tif 000013
【図４】
0003101079.tif 000014